(57)【要約】【課題】安全性を確保しつつ、杭打ち作業性を向上させる。【解決手段】サポート器具１０は、柄部１１と、柄部１１の先端に設けられた保持部１２とを有する。保持部１２は、柄部１１の先端に開口側を柄部１１の軸方向と直交する方向に向けた金属製のコの字型のパイプ押さえ１６と、このパイプ押さえ１６の内側に開口側をパイプ押さえ１６の開口側と同方向に向けて固定されたコの字型の磁石１９とを備えて構成されている。磁石１９は、単管パイプ２を側面から吸着支持する。パイプ押さえ１６は、単管パイプ２を両側から挟み込むように支持して、単管パイプ２の位置、傾き等を調整可能にする。【選択図】図２
2008045336.tif 000002
【特許請求の範囲】
【請求項１】
地面に打ち込まれる杭を支持するための杭打ち用サポート器具であって、
棒状の柄部と、
この柄部の先端に設けられて前記杭を保持する保持部と
を備えたことを特徴とする杭打ち用サポート器具。
【請求項２】
前記杭は、金属製パイプであり、
前記保持部は、前記金属製パイプを側面から吸着保持する磁石を備えている
ことを特徴とする請求項１記載の杭打ち用サポート器具。
【請求項３】
前記杭は、金属製パイプであり、
前記保持部は、前記金属製パイプを側面から吸着保持する磁石、及びこの磁石を内側に配置すると共に前記金属製パイプを側面から挟み込むコの字型のパイプ押さえを備えている
ことを特徴とする請求項１記載の杭打ち用サポート器具。
【請求項４】
前記保持部は、前記杭が内側に挿入される環状部材からなることを特徴とする請求項１記載の杭打ち用サポート器具。
【請求項５】
前記杭は、パイプであり、
前記保持部は、前記パイプの上端に装着されて前記パイプの上端を保護する保護キャップを兼用するものである
ことを特徴とする請求項１記載の杭打ち用サポート器具。
【請求項６】
前記柄は、伸縮自在な二重管により構成されていることを特徴とする請求項１〜５のいずれか１項記載の杭打ち用サポート器具。
【発明の詳細な説明】
【技術分野】
【０００１】
本発明は、建築、土木作業等の足場や柵等を形成するための杭を地上に打ち込む際の杭打ち用サポート器具に関する。
【背景技術】
【０００２】
従来、建築、土木作業等に伴う単管パイプ等の杭打ち作業は二人作業で行われており、一人が手で杭を地面と垂直に保持し、もう一人がその杭の頭をハンマーで叩いて杭を地面に打ち込むようにしている。このため、ハンマーで手を誤って叩いてしまうという危険を伴う。また、夏季には金属パイプが太陽光で過熱状態となり、冬季には金属パイプが過冷状態となって、手で支えることが困難であるという問題もある。
【０００３】
そこで、打ち込む杭を支えるための支持具もいくつか提案されている（特許文献１〜３）。
【特許文献１】実開昭６３−１２１６４８号公報、図１
【特許文献２】実登３０２６９４２号公報、図１、段落００１０〜００１１
【特許文献３】特開２００２−４５８６号公報、図１、段落０００７〜００１１
【発明の開示】
【発明が解決しようとする課題】
【０００４】
しかし、上述した従来の杭打ち用の支持具では、杭を支持具にセットする作業が必要であるため作業性が悪く、杭打ち作業中に地面に対して杭の角度を微妙に調整することができないという問題がある。
【０００５】
本発明は、このような事情に鑑みなされたもので、安全性を確保しつつ、杭打ち作業性を向上させることができる杭打ち用サポート器具を提供することを目的とする。
【課題を解決するための手段】
【０００６】
本発明に係る杭打ち用サポート器具は、地面に打ち込まれる杭を支持するための杭打ち用サポート器具であって、棒状の柄部と、この柄部の先端に設けられて杭を保持する保持部とを備えたことを特徴とする。
【０００７】
杭は、例えば金属製パイプであり、この場合、保持部は、金属製パイプを側面から吸着保持する磁石を備えていることが望ましい。また、この場合、保持部が、磁石を内側に配置すると共に金属製パイプを側面から挟み込むコの字型のパイプ押さえを備えていると更に好ましい。
【０００８】
この他、保持部は、杭が内側に挿入される環状部材でも良い。更に、杭がパイプである場合、保持部は、パイプの上端に装着されてパイプの上端を保護する保護キャップを兼用するものでも良い。柄は、伸縮自在な二重管により構成されていても良い。
【発明の効果】
【０００９】
本発明に係る杭打ち用サポート器具によれば、棒状の柄部の先端に杭を保持する保持部が設けられているので、杭を地面に打ち込む際に、誤ってハンマーで手を叩いてしまう危険がなく、また、杭打ち作業中でも柄部を通して保持部で杭の姿勢を調整できるので、作業性が向上する。
【発明を実施するための最良の形態】
【００１０】
図１は本発明の第１の実施形態に係る杭打ち用サポート器具１の一部を省略した正面図、図２は同平面図、図３は図２のＡ−Ａ’断面図である。
【００１１】
本実施形態のサポート器具１０は、柄部１１と、柄部１１の先端に設けられた保持部１２とを有している。
【００１２】
柄部１１は、第１の金属パイプ１３と、この第１金属パイプ１３に外装される、第１の金属パイプ１３よりも大径の第２の金属パイプ１４の二重管構造からなる。第１の金属パイプ１３の基端側には、パイプの軸方向に延びるスリット１３ａが形成され、これに対する第２の金属パイプ１４には、孔１４ａが形成されている。この孔１４ａには、先端がスリット１３ａに嵌入する金属製のストッパーピン１４ｂが挿入されると共に溶接によって固定されている。従って、第２の金属パイプ１４は、スリット１３ａ内をストッパーピン１４ｂが移動できる範囲だけ、第１の金属パイプ１３に対してスライド可能となる。これにより、柄部１１は、所定範囲で伸縮可能な構造となっている。第２の金属パイプ１４の外表面は、ゴム、樹脂等の絶縁体被覆１５によって被覆されている。絶縁被覆１５は、滑り止めと落雷等に対する安全性を高めるために用いられる。
【００１３】
保持部１２は、柄部１１の先端に開口側を柄部１１の軸方向と直交する方向に向けた金属製のコの字型のパイプ押さえ１６と、このパイプ押さえ１６の内側に開口側をパイプ押さえ１６の開口側と同方向に向けてボルト１７及びナット１８によって固定されたコの字型の磁石１９とを備えて構成されている。磁石１９は、杭となる金属製の単管パイプ２を側面から吸着支持する。パイプ押さえ１６は、単管パイプ２を両側から挟み込むように支持して、単管パイプ２の位置、傾き等を調整可能にする。
【００１４】
図４は、上述した杭打ち用サポート器具１０を使用した杭打ち作業を説明するための斜視図である。
【００１５】
図示のように、作業者１は、サポート器具１０を使用して杭としての単管パイプ２を地面４に対して垂直になるように保持する。単管パイプ２の頭部２ａには、頭部２ａの損傷を防止するための保護キャップ５が装着される。作業者３は、保護キャップ５の上をハンマー６で叩いて単管パイプ２を地面４に打ち込む。
【００１６】
このように、本実施形態のサポート器具１を使用すれば、作業者３がハンマー６によって作業者１の手等を誤って叩くということが防止され、安全性を高めることができる。また、保持部１２には磁石１９が設けられると共に、磁石１９と単管パイプ２の吸着方向と直交する方向の支持をパイプ押さえ１６が司るので、単管パイプ２を全方位で微調整することができる。このため、作業者１は、サポート器具１０を使用して単管パイプ２の地面４に対する角度等を作業中でも全方位で微調整することができるので、杭打ち作業の作業性が格段に向上する。更に、柄部１１を伸縮自在としているため、サポート器具１０を、作業者１の最も作業のし易い長さに調整した上で作業を行うことができるので、作業性が更に向上する。
【００１７】
図５は、本発明の第２の実施形態に係る杭打ち用サポート器具２０を示す斜視図である。
【００１８】
この実施形態のサポート器具２０は、棒状の柄部２１と、この柄部２１の先端に設けられた環状の保持部２２とにより構成されている。保持部２２は、内側に単管パイプ２２を挿入することにより、単管パイプ２２を保持する。この実施形態によれば、先の実施形態よりも廉価にサポート器具２０を作成することが出来る。
【００１９】
図６は、本発明の第３の実施形態に係る杭打ち用サポート器具３０を示す斜視図である。
【００２０】
この実施形態のサポート器具３０は、棒状の柄部３１と、この柄部３１の先端に設けられた保護キャップ状の保持部２２とにより構成されている。保持部２２は、柄部１１の先端が側面に固定された大径部３３とこの大径部３３の下面に同軸的に突設された小径部３４とを有する。このサポート器具３０によれば、単管パイプ２の頭部２ａに保持部２２の小径部３４を挿入することにより、保持部２２を単管パイプ２の頭部に装着することができ、同時に大径部３３の上をハンマー６で叩くことにより、保持部２２が保護キャップも兼ねることになる。
【００２１】
この他、本発明は、その要旨を変更しない範囲で種々変形して実施することが出来る。
【図面の簡単な説明】
【００２２】
【図１】本発明の第１の実施形態に係る杭打ち用サポート器具の一部を省略した正面図である。
【図２】同サポート器具の一部を省略した平面図である。
【図３】図２のＡ−Ａ’断面図である。
【図４】同サポート器具を使用した杭打ち作業を示す斜視図である。
【図５】本発明の第２の実施形態に係る杭打ち用サポート器具の斜視図である。
【図６】本発明の第３の実施形態に係る杭打ち用サポート器具の斜視図である。
【符号の説明】
【００２３】
１，３…作業者、２…単管パイプ、４…地面、５…保護キャップ、６…ハンマー、１０，２０，３０…杭打ち用サポート器具、１１，２１，３１…柄部、１２，２２，３２…保持部、１６…パイプ押さえ、１９…磁石。
【図１】
2008045336.tif 000003
【図２】
2008045336.tif 000004
【図３】
2008045336.tif 000005
【図４】
2008045336.tif 000006
【図５】
2008045336.tif 000007
【図６】
2008045336.tif 000008